(57)【要約】【課題】フレームバッファを利用してモード切り換え時にディスプレイに発生するノイズを解消するシステム及び方法の提供。【解決手段】信号処理器、フレームバッファ、ディスプレイパネル、及びマイクロコントロールユニットを包含する。信号処理器は外部信号源を受信し、外部信号源は信号形式を包含する。外部信号源がその信号形式を変更する時、信号処理器はマイクロコントロールユニットに告知すると共に、変更後の形式に基づき受信した信号に対して演算処理し、マイクロコントロールユニットは信号処理器を制御してフレームバッファのフレームを凍結し、ディスプレイパネルに凍結したフレームデータを表示させる。これにより、本発明は放送するフレームを流暢とし、並びにこれによりディスプレイの品質を向上する。【選択図】図１
2007243900.tif 000002
【特許請求の範囲】
【請求項１】
フレームバッファを利用してモード切り換え時にディスプレイに発生するノイズを解消するシステムにおいて、
外部信号源を受信し、受信した信号に対して演算処理を行い、連続したフレームデータを生成し、該外部信号源が信号形式を包含する、信号処理器と、
該信号処理器に電気的に接続されて、該信号処理器が処理したフレームデータを暫時保存する、フレームバッファと、
該信号処理器が出力する該フレームデータをキャプチャし、並びにそれを表示するディスプレイパネルと、
該信号処理器に電気的に接続されたマイクロコントロールユニットと、
を包含し、
そのうち、該信号処理器が該外部信号源を読み取り、且つ演算処理を行い、並びに該ディスプレイパネルにフレームデータを表示する時、該外部信号源がその信号形式を変更すると、該信号処理器は該マイクロコントロールユニットに告知すると共に、変更後の形式に依り受信した信号に対して演算処理を行い、該マイクロコントロールユニットは該信号処理器を制御し、該フレームバッファのフレームデータを凍結し、該ディスプレイパネルに形式変更完成前に凍結したフレームデータを表示させることを特徴とする、フレームバッファを利用してモード切り換え時にディスプレイに発生するノイズを解消するシステム。
【請求項２】
前記外部信号源がデジタルテレビ信号とされ、その信号形式が４８０ｉのＳＤ信号、及び１０８０ｉのＨＤ信号を包含することを特徴とする、請求項１記載のフレームバッファを利用してモード切り換え時にディスプレイに発生するノイズを解消するシステム。
【請求項３】
前記外部信号源がＤＶＤプレイヤーが出力する信号とされ、その信号形式が４８０ｉのＳＤ信号、及び１０８０ｉのＨＤ信号を包含することを特徴とする、請求項１記載のフレームバッファを利用してモード切り換え時にディスプレイに発生するノイズを解消するシステム。
【請求項４】
フレームバッファを利用してモード切り換え時にディスプレイに発生するノイズを解消する方法において、該方法はディスプレイに使用され、該ディスプレイは、ディスプレイパネル、信号処理器、及びフレームバッファを包含し、そのうち、該信号処理器は信号源に電気的に接続するのに用いられ、該方法は、
（Ａ）信号処理器が信号形式を包含する外部信号源を読み取り、受信した信号に対して演算処理を行い、これにより連続したフレームデータを生成するステップ、
（Ｂ）フレームバッファで信号処理が処理したフレームデータを暫時保存するステップ、
（Ｃ）ディスプレイパネルで該信号処理器が出力したフレームデータをキャプチャし並びにそれを表示するステップ、
（Ｄ）信号源がその形式を変更したかを判断するステップ、
（Ｅ）信号源が形式を変更したなら、フレームバッファのフレームデータを凍結し、これによりディスプレイパネルに形式変更完成前に凍結したフレームデータを表示させるステップ、
以上のステップを包含することを特徴とする、フレームバッファを利用してモード切り換え時にディスプレイに発生するノイズを解消する方法。
【請求項５】
前記外部信号源がデジタルテレビ信号とされ、その信号形式が４８０ｉのＳＤ信号、及び１０８０ｉのＨＤ信号を包含することを特徴とする、請求項４記載のフレームバッファを利用してモード切り換え時にディスプレイに発生するノイズを解消する方法。
【請求項６】
前記外部信号源がＤＶＤプレイヤーが出力する信号とされ、その信号形式が４８０ｉのＳＤ信号、及び１０８０ｉのＨＤ信号を包含することを特徴とする、請求項４記載のフレームバッファを利用してモード切り換え時にディスプレイに発生するノイズを解消する方法。
【発明の詳細な説明】
【技術分野】
【０００１】
本発明はモード切り換え時にディスプレイに発生するノイズを解消するためのシステム及び方法に係り、特に、フレームバッファを利用してモード切り換え時にディスプレイに発生するノイズを解消するシステム及び方法に関する。
【背景技術】
【０００２】
周知のデジタルテレビシステムにあって、放送チャンネルの違いによりチャンネル切り換え時に異なる形式の信号、例えば４８０ｉの標準解像度（ｓｔａｎｄａｒｄ  ｄｅｆｉｎｉｔｉｏｎ；ＳＤ）、１０８０ｉの高解像度（ｈｉｇｈ  ｄｅｆｉｎｉｔｉｏｎ；ＨＤ）、・・・等の異なる形式の信号を放送する場合があり、異なる形式の信号に切り換える時に、過渡ノイズが発生することがあり、このノイズは通常気持ちのよいものではない。
【０００３】
このほか、一般にＤＶＤの内容は、通常、同じ形式の信号で再生されるが、使用者が録画時にＳＤとＨＤが異なる規格の信号を採用すると、再生時に過渡ノイズが発生することがある。
【０００４】
以上から分かるように、周知のディスプレイはモード切り換え時に多くの欠点があり、改善の必要がある。
【発明の開示】
【発明が解決しようとする課題】
【０００５】
本発明の主要な目的は、フレームバッファを利用してモード切り換え時にディスプレイに発生するノイズを解消するシステム及び方法を提供して、放送フレームを更に流暢とし、並びにこれによりディスプレイの品質を向上することにある。
【０００６】
上述の目的を達成するため、本発明は一種の、フレームバッファを利用してモード切り換え時にディスプレイに発生するノイズを解消するシステムを提供し、それは、信号処理器、フレームバッファ、ディスプレイパネル、及びマイクロコントロールユニットを包含する。
【０００７】
該信号処理器は外部信号源を受信し、受信した信号に対して演算処理を行い、連続したフレームデータを生成し、外部信号源は信号形式を包含する。該フレームバッファは信号処理器に電気的に接続されて、該信号処理器が処理したフレームデータを暫時保存する。該ディスプレイパネルは該信号処理器が出力するフレームデータをキャプチャし、並びにそれを表示する。該マイクロコントロールユニットは該信号処理器に電気的に接続される。
【０００８】
そのうち、該信号処理器が外部信号源を読み取り、且つ演算処理を行い、並びにディスプレイパネルにフレームデータを表示する時、外部信号源がその信号形式を変更すると、信号処理器はマイクロコントロールユニットに告知すると共に、変更後の形式に依り受信した信号に対して演算処理を行い、マイクロコントロールユニットは信号処理器を制御し、フレームバッファのフレームデータを凍結し、ディスプレイパネルに形式変更完成前に凍結したフレームデータを表示させる。
【０００９】
このほか、本発明は一種のフレームバッファを利用してモード切り換え時にディスプレイに発生するノイズを解消する方法を提供する。それは、ディスプレイに使用され、該ディスプレイは、ディスプレイパネル、信号処理器、及びフレームバッファを包含する。そのうち、該信号処理器は信号源に電気的に接続するのに用いられる。本発明の方法は、
（Ａ）信号処理器が信号形式を包含する外部信号源を読み取り、受信した信号に対して演算処理を行い、これにより連続したフレームデータを生成するステップ、
（Ｂ）フレームバッファで信号処理が処理したフレームデータを暫時保存するステップ、
（Ｃ）ディスプレイパネルで該信号処理器が出力したフレームデータをキャプチャし並びにそれを表示するステップ、
（Ｄ）信号源がその形式を変更したかを判断するステップ、
（Ｅ）信号源が形式を変更したなら、フレームバッファのフレームデータを凍結し、これによりディスプレイパネルに形式変更完成前に凍結したフレームデータを表示させるステップ、
以上のステップを包含する。
【課題を解決するための手段】
【００１０】
請求項１の発明は、フレームバッファを利用してモード切り換え時にディスプレイに発生するノイズを解消するシステムにおいて、
外部信号源を受信し、受信した信号に対して演算処理を行い、連続したフレームデータを生成し、該外部信号源が信号形式を包含する、信号処理器と、
該信号処理器に電気的に接続されて、該信号処理器が処理したフレームデータを暫時保存する、フレームバッファと、
該信号処理器が出力する該フレームデータをキャプチャし、並びにそれを表示するディスプレイパネルと、
該信号処理器に電気的に接続されたマイクロコントロールユニットと、
を包含し、
そのうち、該信号処理器が該外部信号源を読み取り、且つ演算処理を行い、並びに該ディスプレイパネルにフレームデータを表示する時、該外部信号源がその信号形式を変更すると、該信号処理器は該マイクロコントロールユニットに告知すると共に、変更後の形式に依り受信した信号に対して演算処理を行い、該マイクロコントロールユニットは該信号処理器を制御し、該フレームバッファのフレームデータを凍結し、該ディスプレイパネルに形式変更完成前に凍結したフレームデータを表示させることを特徴とする、フレームバッファを利用してモード切り換え時にディスプレイに発生するノイズを解消するシステムとしている。
請求項２の発明は、前記外部信号源がデジタルテレビ信号とされ、その信号形式が４８０ｉのＳＤ信号、及び１０８０ｉのＨＤ信号を包含することを特徴とする、請求項１記載のフレームバッファを利用してモード切り換え時にディスプレイに発生するノイズを解消するシステムとしている。
請求項３の発明は、前記外部信号源がＤＶＤプレイヤーが出力する信号とされ、その信号形式が４８０ｉのＳＤ信号、及び１０８０ｉのＨＤ信号を包含することを特徴とする、請求項１記載のフレームバッファを利用してモード切り換え時にディスプレイに発生するノイズを解消するシステムとしている。
請求項４の発明は、フレームバッファを利用してモード切り換え時にディスプレイに発生するノイズを解消する方法において、該方法はディスプレイに使用され、該ディスプレイは、ディスプレイパネル、信号処理器、及びフレームバッファを包含し、そのうち、該信号処理器は信号源に電気的に接続するのに用いられ、該方法は、
（Ａ）信号処理器が信号形式を包含する外部信号源を読み取り、受信した信号に対して演算処理を行い、これにより連続したフレームデータを生成するステップ、
（Ｂ）フレームバッファで信号処理が処理したフレームデータを暫時保存するステップ、
（Ｃ）ディスプレイパネルで該信号処理器が出力したフレームデータをキャプチャし並びにそれを表示するステップ、
（Ｄ）信号源がその形式を変更したかを判断するステップ、
（Ｅ）信号源が形式を変更したなら、フレームバッファのフレームデータを凍結し、これによりディスプレイパネルに形式変更完成前に凍結したフレームデータを表示させるステップ、
以上のステップを包含することを特徴とする、フレームバッファを利用してモード切り換え時にディスプレイに発生するノイズを解消する方法としている。
請求項５の発明は、前記外部信号源がデジタルテレビ信号とされ、その信号形式が４８０ｉのＳＤ信号、及び１０８０ｉのＨＤ信号を包含することを特徴とする、請求項４記載のフレームバッファを利用してモード切り換え時にディスプレイに発生するノイズを解消する方法としている。
請求項６の発明は、前記外部信号源がＤＶＤプレイヤーが出力する信号とされ、その信号形式が４８０ｉのＳＤ信号、及び１０８０ｉのＨＤ信号を包含することを特徴とする、請求項１記載のフレームバッファを利用してモード切り換え時にディスプレイに発生するノイズを解消する方法としている。
【発明の効果】
【００１１】
本発明はフレームバッファを利用してモード切り換え時にディスプレイに発生するノイズを解消するシステム及び方法を提供し、該システムは、信号処理器、フレームバッファ、ディスプレイパネル、及びマイクロコントロールユニットを包含する。信号処理器は外部信号源を受信し、外部信号源は信号形式を包含する。外部信号源がその信号形式を変更する時、信号処理器はマイクロコントロールユニットに告知すると共に、変更後の形式に基づき受信した信号に対して演算処理し、マイクロコントロールユニットは信号処理器を制御してフレームバッファのフレームを凍結し、ディスプレイパネルに凍結したフレームデータを表示させる。これにより、本発明は放送するフレームを流暢とし、並びにこれによりディスプレイの品質を向上する。
【発明を実施するための最良の形態】
【００１２】
本発明はフレームバッファを利用してモード切り換え時にディスプレイに発生するノイズを解消するシステム及び方法に関する。まず、図１を参照されたい。図１は本発明の好ましい実施例のシステム構造図である。本発明は、信号処理器１１、フレームバッファ１２、ディスプレイパネル１３、マイクロコントロールユニット１４、及び外部信号源１５を包含する。
【００１３】
該信号処理器１１は外部信号源１５の信号を受信し、受信した信号に対して演算処理を行い、連続したフレームデータを生成し、外部信号源１５は信号形式を包含する。該フレームバッファ１２は信号処理器１１に電気的に接続されて、該信号処理器１１が処理したフレームデータを暫時保存する。該ディスプレイパネル１３は該信号処理器１１が出力するフレームデータをキャプチャし、並びにそれを表示する。該マイクロコントロールユニット１４は該信号処理器１１に電気的に接続される。
【００１４】
図２は本発明のフレームバッファを利用してモード切り換え時にディスプレイに発生するノイズを解消する方法のフローチャートである。そのうち、信号処理器１１が外部信号源１５を読み取り（ステップＳ２０１）、且つ演算処理を行い、並びにディスプレイパネル１３にフレームデータを表示する時、外部信号源１５がその信号形式を変更する（ステップＳ２０２）と、信号処理器１１はマイクロコントロールユニット１４に告知すると共に、変更後の形式に依り受信した信号に対して演算処理を行い、マイクロコントロールユニット１４は信号処理器１１を制御し、フレームバッファ１２のフレームデータを凍結し（ステップＳ２０３）、信号形式変更が完成した時（ステップＳ２０４）に、フレームバッファ１２に対する凍結を解除でき、これによりディスプレイパネル１３に形式変更完成前に凍結したフレームデータを表示させる。
【００１５】
これにより、本発明は一種の、フレームバッファを利用してモード切り換え時にディスプレイに発生するノイズを解消するシステム及び方法を提供し、これにより放送するフレームを更に流暢となし、並びにこれによりディスプレイの品質を向上することができる。
【００１６】
上述の方法により、例えば日本のデジタルテレビでは、放送チャンネルの違いにより異なる形式の信号が放送され得て、例えばＢＳ  １０１、１０２の信号形式は４８０ｉのＳＤ信号、ＢＳ  １０３、１０４の信号形式は１０８０ｉのＨＤ信号とされる。信号源が１０１から１０２に切り換えられる時、過渡ノイズの問題は発生し得ない。しかし、使用者が１０２から１０３に切り換える時、信号形式内容が違うため、本発明の信号処理器１１はマイクロコントロールユニット１４に告知し、マイクロコントロールユニット１４が命令を信号処理器１１を通してフレームバッファ１２に伝送し、フレームバッファ１２のフレームデータを凍結し、ディスプレイパネル１３に形式変更完成前に凍結したフレームデータを表示させる。信号処理器１１が形式の演算を完成してから、フレームバッファ１２のフレームデータをディスプレイパネル１３に表示する。
【００１７】
更に、図１中、外部信号源がＤＶＤプレイヤーに接続されていて、ＤＶＤプレイヤーの出力する信号形式は４８０ｉのＳＤ信号と１０８０ｉのＨＤ信号を包含しうる時にも、本発明により再生フレームを流暢とする目的を達成できる。
【００１８】
上述の実施例は説明のために提示したものにすぎず、本発明の主張する権利範囲は特許請求の範囲の記載に準じるものとし、上述の実施例に制限されるものではない。
【図面の簡単な説明】
【００１９】
【図１】本発明の好ましい実施例のシステム構造図である。
【図２】本発明の好ましい実施例のフローチャートである。
【符号の説明】
【００２０】
１１  信号処理器          １２  フレームバッファ
１３  ディスプレイパネル  １４  マイクロコントロールユニット
１５  外部信号源          Ｓ２０１〜Ｓ２０４  ステップ
【図１】
2007243900.tif 000003
【図２】
2007243900.tif 000004